(57)【要約】  【課題】実際の状況変化に対して、施設データの更新を速やかに行うことのできる情報処理システムを構成する情報端末装置を提供すること。  【解決手段】インターネット１４などのネットワークに接続された情報管理装置２２と通信可能であり、車両１２などの移動体に搭載又は携帯される情報端末装置１１において、ユーザーの活動拠点となる場所の位置情報が記憶された記憶手段と、施設に関する情報を設定する設定手段と、所定の送信要求が発生すると、ユーザーの活動拠点となる場所の位置情報を付加して、設定された施設に関する情報を情報管理装置２２へ送信する送信手段とを装備する。  【選択図】  図１
2005291712.tif 000002
【特許請求の範囲】
【請求項１】
ネットワークに接続された情報管理装置と通信可能であり、移動体に搭載又は携帯され
る情報端末装置において、
ユーザーの活動拠点となる場所の位置情報が記憶された活動拠点情報記憶手段と、
施設に関する情報を設定する施設情報設定手段と、
所定の送信要求が発生したか否かを判断する送信要求発生判断手段と、
該送信要求発生判断手段により前記所定の送信要求が発生したと判断された場合、前記
活動拠点情報記憶手段に記憶されているユーザーの活動拠点となる場所の位置情報を付加
して、前記施設情報設定手段により設定された前記施設に関する情報を前記情報管理装置
へ送信する第１の施設情報送信手段とを備えていることを特徴とする情報端末装置。
【請求項２】
ネットワークに接続された情報管理装置と通信可能であり、移動体に搭載又は携帯され
る情報端末装置において、
ユーザーの活動拠点となる場所の位置情報が記憶された活動拠点情報記憶手段と、
前記情報管理装置にユーザーの活動拠点となる場所を登録しておくために、前記活動拠
点情報記憶手段に記憶されている位置情報を前記情報管理装置へ送信する活動拠点情報送
信手段と、
施設に関する情報を設定する施設情報設定手段と、
所定の送信要求が発生したか否かを判断する送信要求発生判断手段と、
該送信要求発生判断手段により前記所定の送信要求が発生したと判断された場合、ユー
ザーを識別するための識別情報を付加して、前記施設情報設定手段により設定された前記
施設に関する情報を前記情報管理装置へ送信する第２の施設情報送信手段とを備えている
ことを特徴とする情報端末装置。
【請求項３】
ネットワークに接続された情報管理装置と通信可能であり、移動体に搭載又は携帯され
る情報端末装置において、
施設に関する情報を設定する施設情報設定手段と、
所定の送信要求が発生したか否かを判断する送信要求発生判断手段と、
該送信要求発生判断手段により前記所定の送信要求が発生したと判断された場合、前記
移動体の現在の位置情報を検出する位置情報検出手段から得られる位置情報を付加して、
前記施設情報設定手段により設定された前記施設に関する情報を前記情報管理装置へ送信
する第３の施設情報送信手段とを備えていることを特徴とする情報端末装置。
【請求項４】
前記施設に関する情報に、該施設が新規、又は既存のものであるか否かを示した情報が
含まれていることを特徴とする請求項１〜３のいずれかの項に記載の情報端末装置。
【請求項５】
前記施設に関する情報が、新規の施設に関する情報である場合、
前記施設に関する情報に、該施設の位置情報が含まれていることを特徴とする請求項１
〜４のいずれかの項に記載の情報端末装置。
【請求項６】
前記施設に関する情報に、該施設の存在有無に関する情報が含まれていることを特徴と
する請求項１〜５のいずれかの項に記載の情報端末装置。
【請求項７】
ネットワークに接続された情報管理装置と通信可能であり、移動体に搭載又は携帯され
る情報端末装置において、
所定の受信要求が発生したか否かを判断する受信要求発生判断手段と、
該受信要求発生判断手段により前記所定の受信要求が発生したと判断された場合、受信
要求する情報の選択条件を付加して、施設に関する情報を要求するための送信リクエスト
を前記情報管理装置へ送信する第１の送信リクエスト送信手段と、
前記送信リクエストに応じて、前記情報管理装置から送信されてきた情報を受信する第
１の受信手段とを備え、
前記選択条件に、情報の信頼度が含まれていることを特徴とする情報端末装置。
【請求項８】
ネットワークに接続された情報管理装置と通信可能であり、移動体に搭載又は携帯され
る情報端末装置において、
所定の受信要求が発生したか否かを判断する受信要求発生判断手段と、
該受信要求発生判断手段により前記所定の受信要求が発生したと判断された場合、受信
要求する情報の選択条件を付加して、施設に関する情報を要求するための送信リクエスト
を前記情報管理装置へ送信する第２の送信リクエスト送信手段と、
前記送信リクエストに応じて、前記情報管理装置から送信されてきた情報を受信する第
２の受信手段とを備え、
前記選択条件に、存在有無の変更が含まれていることを特徴とする情報端末装置。
【請求項９】
ネットワークに接続された情報端末装置と通信可能であり、施設に関する情報を管理す
るための情報管理装置において、
施設に関する情報を記憶する施設情報記憶手段と、
前記情報端末装置から送信されてくる施設に関する情報を受信した場合、前記施設の位
置情報と、前記情報端末装置のユーザーの活動拠点となる場所の位置情報、又は現在の位
置情報とに基づいて、前記施設の所在地と、ユーザーの活動拠点となる場所、又は現在位
置との位置的関係性から前記受信した施設に関する情報の信頼度を設定する信頼度設定手
段と、
前記信頼度設定手段により設定された信頼度に基づいて、前記受信した施設に関する情
報を前記施設情報記憶手段に記憶させる格納手段とを備えていることを特徴とする情報管
理装置。
【請求項１０】
前記信頼度設定手段が、前記施設の所在地と、ユーザーの活動拠点となる場所、又は現
在位置との距離に基づいて、前記信頼度を設定するものであることを特徴とする請求項９
記載の情報管理装置。
【請求項１１】
前記信頼度設定手段が、前記施設の所在地の属する区画と、ユーザーの活動拠点となる
場所、又は現在位置の属する区画との関係性に基づいて、前記信頼度を設定するものであ
ることを特徴とする請求項９記載の情報管理装置。
【発明の詳細な説明】
【技術分野】
【０００１】
本発明は情報端末装置、及び情報管理装置に関し、より詳細には、施設に関する情報の
送受信を行うための情報端末装置、及び情報管理装置に関する。
【背景技術】
【０００２】
図１１は、従来のナビゲーション装置の要部を概略的に示したブロック図である。車速
に関する情報を取得するための車速センサ２と、進行方向に関する情報を取得するための
ジャイロセンサ３とがマイコン１に接続されており、マイコン１は、車速、及び進行方向
に基づいて自車位置を割り出すことができるようになっている（自律航法）。ＧＰＳ受信
機４は、アンテナ５を介して衛星からのＧＰＳ信号を受信するものであり、マイコン１に
接続されており、マイコン１は、ＧＰＳ信号に基づいて自車位置を割り出すことができる
ようになっている（ＧＰＳ航法）。
【０００３】
また、道路データや施設データ等が記憶されたＤＶＤ−ＲＯＭ７から道路データや施設
データ等を取り込むことのできるＤＶＤデッキ６はマイコン１に接続されており、マイコ
ン１は割り出した自車位置と道路データとを合わせる（いわゆる、マップマッチング処理
を行う）ことによって、自車位置が正確に示された地図を表示パネル９ｂへ表示すること
ができるようになっている。
【０００４】
また、リモコン８に設けられたジョイスティック８ａやボタンスイッチ８ｂから出力さ
れたスイッチ信号や、表示装置９に設けられたボタンスイッチ９ａから出力されたスイッ
チ信号がマイコン１に入力され、これらスイッチ信号に応じた処理がマイコン１で行われ
るようになっている。
【０００５】
例えば、マイコン１は、これらスイッチを使って目的地が設定されると、現在の自車位
置から目的地までの最適ルートを探索し、これを誘導ルートとして地図と共に表示パネル
９ｂ上に表示するようになっている。目的地の設定方法としては、例えば、表示パネル９
ｂに表示された地図画面上でポインタを移動させて設定する方法や、施設データを利用し
て、施設の名称・住所・電話番号などから設定する方法が挙げられる。
【０００６】
このようにナビゲーション装置では、表示パネル９ｂに地図が表示され、その地図上に
使用者により入力された目的地、該目的地へ至る誘導ルート、自車の現在位置に対応する
自車位置マーク、及びそれまでの自車の走行軌跡等が重ねて表示されるようになっており
、使用者はこの表示パネル９ｂを逐次参照することで、進路情報を得ることができ、その
進路情報に従うことで目的地に到達することができるようになっている。
【０００７】
また、ナビゲーション装置には、施設データを使って、自車位置周辺、又は任意の場所
周辺に存在するコンビニエンスストア（以下、コンビニと略す）やガソリンスタンド、レ
ストラン、銀行等、目印となる施設をランドマークとして地図上に重畳表示する機能が装
備されている。
【０００８】
また、最近のナビゲーション装置では、施設データが充実され、例えば、ビルなどであ
れば各フロアごとのテナントの名称・住所・電話番号などの情報が登録され、観光名所や
アミューズメント、キャンプ場などのレジャー関連施設であれば、各施設の営業時間や利
用料金、宿泊料金などの情報が登録されている。
【０００９】
ところで、施設というのは、道路と異なり変化することが多く、例えば、施設の営業時
間や利用料金、宿泊料金などは頻繁に変化することが少なくなく、また、コンビニなどの
施設は移転や閉店することも少なくない。また、昨今の世の流れから、企業の合併などで
施設（特に、銀行やガソリンスタンド）の名称が変わることも珍しくない。そのため、あ
る施設を目的地に設定して、ナビゲーション装置の誘導に従って前記目的地へ到達しても
、前記施設は無くなっていたといったケースが生じる虞がある。
【００１０】
このような問題が生じないようにするには、これらの変化に合わせて、ＤＶＤ−ＲＯＭ
などの記憶媒体に記録される施設データを随時更新していく必要があるが、その作業は決
して容易なことではない。また、もし仮に、これらの変化に合わせて、施設データを随時
更新することができたとしても、料金等の問題からユーザーが記憶媒体の買い替えを頻繁
に行える訳ではない。
【００１１】
これを解決するには、インターネットなどの通信ネットワークを使って、情報配信セン
ターから最新の施設データをナビゲーション装置に配信するようにすれば良い（例えば、
下記の特許文献１参照）。これにより、記憶媒体を頻繁に買い替える必要性を無くすこと
ができる。
【００１２】
しかしながら、前記情報提供センターから最新の施設データを各ナビゲーション装置に
配信するようにしたとしても、実際の状況の変化に合わせて施設データを随時更新してい
くことはやはり容易なことではなく、実際の状況の変化とデータの更新との間には時間差
が生じる。そのため、やはり上述したような、目的地に到達したが、施設は無くなってい
たといったケースは生じてしまう。
【特許文献１】特開平９−３２５０４４号公報
【発明の開示】
【課題を解決するための手段及びその効果】
【００１３】
本発明は上記課題に鑑みなされたものであって、実際の状況変化に対して、施設データ
の更新を速やかに行うことのできる情報処理システムを構成する情報端末装置、及び情報
管理装置を提供することを目的としている。
【００１４】
上記目的を達成するために本発明に係る情報端末装置（１）は、ネットワークに接続さ
れた情報管理装置と通信可能であり、移動体に搭載又は携帯される情報端末装置において
、ユーザーの活動拠点となる場所の位置情報が記憶された活動拠点情報記憶手段と、施設
に関する情報を設定する施設情報設定手段と、所定の送信要求が発生したか否かを判断す
る送信要求発生判断手段と、該送信要求発生判断手段により前記所定の送信要求が発生し
たと判断された場合、前記活動拠点情報記憶手段に記憶されているユーザーの活動拠点と
なる場所の位置情報を付加して、前記施設情報設定手段により設定された前記施設に関す
る情報を前記情報管理装置へ送信する第１の施設情報送信手段とを備えていることを特徴
としている。
【００１５】
上記情報端末装置（１）によれば、前記所定の送信要求が発生すると、前記施設に関す
る情報（例えば、ある飲食店の電話番号や営業時間）が前記情報管理装置へ送信される。
これにより、該情報管理装置は、前記情報端末装置で設定された施設に関する情報を取得
することができる。すなわち、前記情報管理装置は、ユーザーから施設に関して実際の状
況の変化に応じた情報の提供を受けることができるので、施設に関する情報の更新を速や
かに行うことが可能となる。
【００１６】
また、前記施設に関する情報は、情報提供者であるユーザーの活動拠点となる場所（例
えば、自宅や学校、勤務先）の位置情報が付加されて前記情報管理装置へ送信されるので
、該情報管理装置は、例えば、前記施設の所在地と、ユーザーの活動拠点となる場所との
位置的関係性から、その情報が地元民からのもの（すなわち、信頼度の高いもの）である
か否かを判断することができる。従って、前記情報管理装置は、ユーザーから送信されて
くる情報の信頼度に基づいて、情報の更新を行うことができる。なお、移動体が車両など
の乗物である場合、前記情報端末装置は前記移動体に搭載され、移動体が人である場合、
前記情報端末装置は前記移動体に携帯される。
【００１７】
また、本発明に係る情報端末装置（２）は、ネットワークに接続された情報管理装置と
通信可能であり、移動体に搭載又は携帯される情報端末装置において、ユーザーの活動拠
点となる場所の位置情報が記憶された活動拠点情報記憶手段と、前記情報管理装置にユー
ザーの活動拠点となる場所を登録しておくために、前記活動拠点情報記憶手段に記憶され
ている位置情報を前記情報管理装置へ送信する活動拠点情報送信手段と、施設に関する情
報を設定する施設情報設定手段と、所定の送信要求が発生したか否かを判断する送信要求
発生判断手段と、該送信要求発生判断手段により前記所定の送信要求が発生したと判断さ
れた場合、ユーザーを識別するための識別情報を付加して、前記施設情報設定手段により
設定された前記施設に関する情報を前記情報管理装置へ送信する第２の施設情報送信手段
とを備えていることを特徴としている。
【００１８】
上記情報端末装置（２）によれば、前記所定の送信要求が発生すると、前記施設に関す
る情報（例えば、ある飲食店の電話番号や営業時間）が前記情報管理装置へ送信される。
これにより、該情報管理装置は、前記情報端末装置で設定された施設に関する情報を取得
することができる。すなわち、前記情報管理装置は、ユーザーから施設に関して実際の状
況の変化に応じた情報の提供を受けることができるので、施設に関する情報の更新を速や
かに行うことが可能となる。
【００１９】
また、ユーザーの活動拠点となる場所（例えば、自宅や学校、勤務先）の位置情報が前
記情報管理装置へ送信されるので、該情報管理装置は、ユーザーの活動拠点となる場所を
予め登録しておくことができる。また、前記施設に関する情報は、ユーザーを識別するた
めの識別情報が付加されて前記情報管理装置へ送信されるので、該情報管理装置は、情報
提供者であるユーザーの活動拠点となる場所を把握することができる。
【００２０】
これにより、例えば、前記施設の所在地と、ユーザーの活動拠点となる場所との位置的
関係性から、その情報が地元民からのもの（すなわち、信頼度の高いもの）であるか否か
を判断することができる。従って、前記情報管理装置は、ユーザーから送信されてくる情
報の信頼度に基づいて、情報の更新を行うことができる。
【００２１】
また、本発明に係る情報端末装置（３）は、ネットワークに接続された情報管理装置と
通信可能であり、移動体に搭載又は携帯される情報端末装置において、施設に関する情報
を設定する施設情報設定手段と、所定の送信要求が発生したか否かを判断する送信要求発
生判断手段と、該送信要求発生判断手段により前記所定の送信要求が発生したと判断され
た場合、前記移動体の現在の位置情報を検出する位置情報検出手段から得られる位置情報
を付加して、前記施設情報設定手段により設定された前記施設に関する情報を前記情報管
理装置へ送信する第３の施設情報送信手段とを備えていることを特徴としている。
【００２２】
上記情報端末装置（３）によれば、前記所定の送信要求が発生すると、前記施設に関す
る情報（例えば、ある飲食店の電話番号や営業時間）が前記情報管理装置へ送信される。
これにより、該情報管理装置は、前記情報端末装置で設定された施設に関する情報を取得
することができる。すなわち、前記情報管理装置は、ユーザーから施設に関して実際の状
況の変化に応じた情報の提供を受けることができるので、施設に関する情報の更新を速や
かに行うことが可能となる。
【００２３】
また、前記施設に関する情報は、情報提供者であるユーザー（前記移動体）の現在の位
置情報が付加されて前記情報管理装置へ送信されるので、該情報管理装置は、例えば、前
記施設の所在地と、ユーザーの現在位置との位置的関係性から、その情報がユーザーが現
場で確認したもの（すなわち、信頼度の高いもの）であるか否かを判断することができる
。従って、前記情報管理装置は、ユーザーから送信されてくる情報の信頼度に基づいて、
情報の更新を行うことができる。
【００２４】
また、本発明に係る情報端末装置（４）は、上記情報端末装置（１）〜（３）のいずれ
かにおいて、前記施設に関する情報に、該施設が新規、又は既存のものであるか否かを示
した情報が含まれていることを特徴としている。
【００２５】
上記情報端末装置（４）によれば、前記施設に関する情報に、該施設が新規、又は既存
のものであるか否かを示した情報が含まれているので、前記情報管理装置は、送信されて
くる情報が、新規の施設に関する情報（例えば、新しく開店したコンビニの住所や名称）
であるか、既存の施設に関する情報（例えば、昔から存在している飲食店に関する、より
詳しい情報）であるかを判断することができるので、それぞれに適した処理を行うことが
できる。
【００２６】
また、本発明に係る情報端末装置（５）は、上記情報端末装置（１）〜（４）のいずれ
かにおいて、前記施設に関する情報が、新規の施設に関する情報である場合、前記施設に
関する情報に、該施設の位置情報が含まれていることを特徴としている。
【００２７】
施設に関する最も大切な情報の一つとして、前記施設の位置情報が挙げられる。所在地
が特定されないと、いくら名称や営業時間などが分かったとしても、施設の情報としては
あまり意味がないからである。ところが、前記情報端末装置から前記情報管理装置へ送信
される新規の施設に関する情報に該当する施設の位置情報は、前記情報管理装置では分か
らない。そのため、前記情報がどの施設に関する情報であるのかを特定することができな
い。
【００２８】
上記情報端末装置（５）によれば、前記施設に関する情報が、新規の施設に関する情報
である場合、前記施設に関する情報に、該施設の位置情報が含まれているので、前記情報
管理装置は、前記情報がどの施設に関する情報であるのかを特定することができる。
【００２９】
また、本発明に係る情報端末装置（６）は、上記情報端末装置（１）〜（５）のいずれ
かにおいて、前記施設に関する情報に、該施設の存在有無に関する情報が含まれているこ
とを特徴としている。
【００３０】
上記情報端末装置（６）によれば、前記施設に関する情報に、該施設の存在有無に関す
る情報（例えば、あるコンビニが閉店した）が含まれているので、例えば、前記情報管理
装置は、閉店となった施設などをデータベースから削除することができ、存在しなくなっ
た施設に関する情報をユーザーへ送信してしまうのを防止することができる。もちろん、
閉店したことを知らせるようにしても良い。
【００３１】
また、本発明に係る情報端末装置（７）は、ネットワークに接続された情報管理装置と
通信可能であり、移動体に搭載又は携帯される情報端末装置において、所定の受信要求が
発生したか否かを判断する受信要求発生判断手段と、該受信要求発生判断手段により前記
所定の受信要求が発生したと判断された場合、受信要求する情報の選択条件を付加して、
施設に関する情報を要求するための送信リクエストを前記情報管理装置へ送信する第１の
送信リクエスト送信手段と、前記送信リクエストに応じて、前記情報管理装置から送信さ
れてきた情報を受信する第１の受信手段とを備え、前記選択条件に、情報の信頼度が含ま
れていることを特徴としている。
【００３２】
上記情報端末装置（７）によれば、前記所定の受信要求が発生すると、施設に関する情
報を要求するための前記送信リクエストが、受信要求する情報の選択条件が付加されて、
前記情報管理装置へ送信される。これにより、該情報管理装置は、前記情報端末装置側で
の要求に応じた情報を前記情報端末装置へ送信することができる。
【００３３】
また、上記情報端末装置（７）によれば、前記送信リクエストに応じて、前記情報管理
装置から送信されてきた情報が受信される。すなわち、前記送信リクエストに応じた情報
を取得することができる。また、前記選択条件には、情報の信頼度が含まれているので、
例えば、ユーザーは信頼度の高い情報（例えば、情報提供者が地元民である情報）に限定
して送信を希望し、受信することができる。
【００３４】
また、本発明に係る情報端末装置（８）は、ネットワークに接続された情報管理装置と
通信可能であり、移動体に搭載又は携帯される情報端末装置において、所定の受信要求が
発生したか否かを判断する受信要求発生判断手段と、該受信要求発生判断手段により前記
所定の受信要求が発生したと判断された場合、受信要求する情報の選択条件を付加して、
施設に関する情報を要求するための送信リクエストを前記情報管理装置へ送信する第２の
送信リクエスト送信手段と、前記送信リクエストに応じて、前記情報管理装置から送信さ
れてきた情報を受信する第２の受信手段とを備え、前記選択条件に、存在有無の変更が含
まれていることを特徴としている。
【００３５】
上記情報端末装置（８）によれば、前記所定の受信要求が発生すると、施設に関する情
報を要求するための前記送信リクエストが、受信要求する情報の選択条件が付加されて、
前記情報管理装置へ送信される。これにより、該情報管理装置は、前記情報端末装置側で
の要求に応じた情報を前記情報端末装置へ送信することができる。
【００３６】
また、上記情報端末装置（８）によれば、前記送信リクエストに応じて、前記情報管理
装置から送信されてきた情報が受信される。すなわち、前記送信リクエストに応じた情報
を取得することができる。また、前記選択条件には、存在有無の変更（例えば、新規開店
や閉店）が含まれているので、例えば、ユーザーは新しく開店したコンビニに限定して送
信を希望したり、閉店となってしまったレストランに限定して送信を希望することができ
る。
【００３７】
また、本発明に係る情報管理装置（１）は、ネットワークに接続された情報端末装置と
通信可能であり、施設に関する情報を管理するための情報管理装置において、施設に関す
る情報を記憶する施設情報記憶手段と、前記情報端末装置から送信されてくる施設に関す
る情報を受信した場合、前記施設の位置情報と、前記情報端末装置のユーザーの活動拠点
となる場所の位置情報、又は現在の位置情報とに基づいて、前記施設の所在地と、ユーザ
ーの活動拠点となる場所、又は現在位置との位置的関係性から前記受信した施設に関する
情報の信頼度を設定する信頼度設定手段と、前記信頼度設定手段により設定された信頼度
に基づいて、前記受信した施設に関する情報を前記施設情報記憶手段に記憶させる格納手
段とを備えていることを特徴としている。
【００３８】
上記情報管理装置（１）によれば、前記情報端末装置から送信されてくる施設に関する
情報を受信すると、前記施設の所在地と、情報提供者であるユーザーの活動拠点となる場
所（例えば、自宅や学校、勤務先）、又は現在位置との位置的関係性から設定される前記
受信した施設に関する情報の信頼度に基づいて、前記情報が前記施設情報記憶手段に記憶
される。例えば、前記施設の所在地と、情報提供者であるユーザーの活動拠点となる場所
とが近い場合、その情報は地元民からのもの（すなわち、信頼度が高いもの）であると判
断することができ、また、前記施設の所在地と、情報提供者であるユーザーの現在位置と
が近い場合、その情報はユーザーが現場で確認したもの（すなわち、信頼度の高いもの）
であると判断することができる。
【００３９】
情報提供者が一般のユーザーとなるため、その情報の信頼度には差がある。これらを一
律に扱うと、情報の正確さが損なわれる虞があるが、上記情報管理装置（１）によれば、
情報の更新に情報の信頼度が考慮されるため、情報の正確さが損なわれるのを防ぐことが
できる。
【００４０】
また、本発明に係る情報管理装置（２）は、上記情報管理装置（１）において、前記信
頼度設定手段が、前記施設の所在地と、ユーザーの活動拠点となる場所、又は現在位置と
の距離に基づいて、前記信頼度を設定するものであることを特徴としている。
【００４１】
上記情報管理装置（２）によれば、前記施設の所在地と、ユーザーの活動拠点となる場
所、又は現在位置との距離に基づいて、前記信頼度が設定される。例えば、前記施設の所
在地と、情報提供者であるユーザーの活動拠点となる場所との距離が短い場合、その情報
は地元民からのもの（すなわち、信頼度が高いもの）とすることができる。これにより、
前記信頼度を適切に設定することができる。
【００４２】
また、本発明に係る情報管理装置（３）は、上記情報管理装置（１）において、前記信
頼度設定手段が、前記施設の所在地の属する区画と、ユーザーの活動拠点となる場所、又
は現在位置の属する区画との関係性に基づいて、前記信頼度を設定するものであることを
特徴としている。
【００４３】
上記情報管理装置（３）によれば、前記施設の所在地の属する区画（例えば、市町村な
どの行政区画）と、ユーザーの活動拠点となる場所、又は現在位置の属する区画との関係
性に基づいて、前記信頼度が設定される。例えば、前記施設の所在地と、情報提供者であ
るユーザーの活動拠点となる場所との距離が離れていたとしても、それぞれが同じ市や町
に属していれば、その情報は地元民からのもの（すなわち、信頼度が高いもの）とするこ
とができる。これにより、前記信頼度を適切に設定することができる。
【発明を実施するための最良の形態】
【００４４】
以下、本発明に係る情報端末装置、及び情報管理装置の実施の形態を図面に基づいて説
明する。図１は、実施の形態（１）に係る情報端末装置、及び情報管理装置を含んで構成
される情報処理システムの要部を概略的に示したブロック図である。
【００４５】
図中１１は、車両１２に搭載されるナビゲーション装置（本発明に係る情報端末装置に
対応）を示しており、ナビゲーション装置１１は携帯電話などの移動体通信装置４１（図
２参照）が接続されるようになっており、その移動体通信装置４１を使って、例えば、基
地局１３及びインターネット１４を介して、インターネット１４に接続されているサーバ
ー２１などとの間でデータのやり取りを行うことができるようになっている。
【００４６】
サーバー２１は情報管理装置２２と、インターネット１４を介して外部（例えば、ナビ
ゲーション装置１１）との間でデータのやり取りを可能にするための通信部２５とを含ん
で構成されている。情報管理装置２２は通信部２５に接続され、コンピュータで構成され
る制御部２３と、施設に関する情報など、各種情報を記憶するためのデータベース２４と
を含んで構成されている。
【００４７】
図２は、ナビゲーション装置１１の要部を概略的に示したブロック図である。ナビゲー
ション装置１１はコンピュータで構成される制御部３１と、地図データ等が記憶されたＤ
ＶＤ−ＲＯＭ３２から地図データ等を読み出すためのＤＶＤデッキ３３と、ボタンスイッ
チ３４ａを有したリモコン３４と、ボタンスイッチ３５ａ及び表示パネル３５ｂを有した
表示装置３５とを含んで構成されている。
【００４８】
また、表示パネル３５ｂの上下左右には複数の赤外線ＬＥＤと複数のフォトトランジス
タ（図示せず）とが対向して配置され、指が表示パネル３５ｂに触れた位置を検出するこ
とができるように構成され、検出された結果については制御部３１で取得することができ
るようになっている。
【００４９】
制御部３１に接続されているＧＰＳ受信機３６は、アンテナ３７を介して衛星からのＧ
ＰＳ信号を受信するものであり、制御部３１はＧＰＳ信号に基づいて車両１２の現在位置
を割り出すことができるようになっている。また、制御部３１には車両１２の速度に関す
るデータを検出するための車速センサ３８と、車両１２の進行方向に関するデータを取得
するためのジャイロセンサ３９と、磁気ディスク（図示せず）で構成され、データの読み
書きが可能であり、施設に関する情報など各種情報を記憶するＨＤＤ（ハードディスク）
４０と、移動体通信装置４１とが接続されている。
【００５０】
ＨＤＤ４０は制御部３１からの指示によって必要なデータを読み出して、制御部３１へ
出力したり、各種データを磁気ディスクに書き込むようになっている。なお、ここでは地
図データが記憶されたＤＶＤ−ＲＯＭを採用しているが、別の実施の形態では、ＤＶＤ−
ＲＯＭではなく、その他の記憶媒体、記憶装置を採用しても良く、例えば、地図データが
記憶されたＨＤＤを採用しても良い。
【００５１】
次に、実施の形態（１）に係るナビゲーション装置１１（の制御部３１）とサーバー２
１（の制御部２３）とにおける処理動作を図３〜図１０に示したフローチャートに基づい
て説明する。なお、この処理動作はナビゲーション装置１１におけるリモコン８や表示装
置９が使用されて、サーバー２１へのアクセス操作がなされたときに行われる動作である
。
【００５２】
サーバー２１へのアクセス操作がなされると、まず、インターネット１４に対して所定
のＵＲＬ（Uniform Resource Locator）へアクセスされ（ステップＳ１）、サーバー２１
へ接続されると（ステップＳ２）、サーバー２１はナビゲーション装置１１へトップ画面
データを送信する（ステップＳ３）。
【００５３】
ナビゲーション装置１１では、前記トップ画面データを受信すると（ステップＳ４）、
受信した前記トップ画面データに基づいて、施設に関する情報の「提供（サーバー２１へ
の情報提供）」又は「取得（サーバー２１からの情報取得）」の選択が可能な画面を表示
パネル３５ｂに表示し（ステップＳ５）、この画面を通じて、「提供」が選択されると（
ステップＳ６）、選択結果が「提供」であることを示した情報をサーバー２１へ送信する
（ステップＳ７）。「取得」が選択された場合については、後で説明する。
【００５４】
サーバー２１では、ナビゲーション装置１１から送信されてくる選択結果「提供」を示
した情報を受信すると（ステップＳ８）、受信した情報に基づいて、選択結果が「提供」
、「取得」のいずれであるのかを判断し（ステップＳ９）、選択結果が「提供」であると
判断すれば、次に、ナビゲーション装置１１へ提供情報入力画面データを送信する（ステ
ップＳ１０）。
【００５５】
ナビゲーション装置１１では、前記提供情報入力画面データを受信すると（ステップＳ
１１）、受信した前記提供情報入力画面データに基づいて、提供する情報が「新規」の施
設、「既存」の施設のいずれに関するものであるかの選択が可能な画面を表示パネル３５
ｂに表示し（ステップＳ１２）、この画面を通じて、「新規」が選択されると（ステップ
Ｓ１３）、選択結果が「新規」であることを示した情報をサーバー２１へ送信する（ステ
ップＳ１４）。「既存」が選択された場合については、後で説明する。
【００５６】
サーバー２１では、ナビゲーション装置１１から送信されてくる選択結果「新規」を示
した情報を受信すると（ステップＳ１５）、受信した情報に基づいて、選択結果が「新規
」、「既存」のいずれであるのかを判断し（ステップＳ１６）、選択結果が「新規」であ
ると判断すれば、次に、ナビゲーション装置１１へ新規情報入力画面データを送信する（
ステップＳ１７）。
【００５７】
ナビゲーション装置１１では、前記新規情報入力画面データを受信すると（ステップＳ
１８）、受信した前記新規情報入力画面データに基づいて、新規施設の名称、住所、電話
番号、ジャンルなどの入力が可能な画面を表示パネル３５ｂに表示し（図４、ステップＳ
２１）、この画面を通じて、新規施設の情報が入力され、入力された情報の送信指示があ
ると（ステップＳ２２）、次に、新規施設の情報として、名称と住所が入力されているか
否かを判断する（ステップＳ２３）。
【００５８】
名称と住所が入力されていると判断すれば、次に、予め登録されている自宅の位置情報
を読み出し（ステップＳ２４）、読み出した自宅の位置情報を付加して、入力された新規
施設の情報をサーバー２１へ送信する（ステップＳ２５）。通常のナビゲーション装置に
は、自宅位置をメモリ地点として予め登録しておく機能が装備されているので、自宅の位
置情報については、メモリ地点されている情報を利用すれば良い。一方、ステップＳ２３
において、名称、住所のいずれかが入力されていないと判断すれば、ステップＳ２１へ戻
って、新規施設の情報の再入力を要求する。
【００５９】
サーバー２１では、ナビゲーション装置１１から送信されてくる、ユーザーの自宅の位
置情報が付加された、新規施設の情報（施設の位置情報を含む）を受信すると（ステップ
Ｓ２６）、施設の位置情報、及び自宅の位置情報に基づいて、施設と自宅との距離ｓを求
め（ステップＳ２７）、距離ｓが所定の距離ｓ’以下であるか否かを判断する（ステップ
Ｓ２８）。
【００６０】
距離ｓが所定の距離ｓ’以下である（すなわち、新規施設は情報提供者の自宅から近い
）と判断すれば、ナビゲーション装置１１から送信されてきた新規施設に関する情報は、
地元民から提供された情報（すなわち、信頼度の高い情報）であると看做し、その点を考
慮に入れて前記情報をデータベース２４へ格納し（ステップＳ２９）、その後、ナビゲー
ション装置１１へ再びトップ画面データを送信する（ステップＳ３０）。
【００６１】
一方、距離ｓが所定の距離ｓ’以下でない（すなわち、新規施設は情報提供者の自宅か
ら遠い）と判断すれば、ナビゲーション装置１１から送信されてきた新規施設に関する情
報は、地元民以外から提供された情報（すなわち、信頼度の低い情報）と看做し、その点
を考慮に入れて前記情報をデータベース２４へ格納し（ステップＳ３１）、その後、ナビ
ゲーション装置１１へ再びトップ画面データを送信する（ステップＳ３０）。
【００６２】
ナビゲーション装置１１では、前記トップ画面データを受信すると（ステップＳ３２）
、トップ画面を表示パネル３５ｂに表示する。これ以降の処理動作は、図３に示したステ
ップＳ５以降の処理となる。なお、ここでは施設と自宅との距離ｓに基づいて、情報の信
頼度を設定しているが、別の実施の形態では、前記施設の属する区画（例えば、行政区画
）と、前記自宅の属する区画との関係性から、情報の信頼度を設定するようにしても良い
。例えば、もし仮に、距離ｓが距離ｓ’以下でなかったとしても、前記施設がユーザーの
自宅と同じ町に存在する場合には、信頼度の高い情報としても良い。
【００６３】
また、ナビゲーション装置１１では、ステップＳ１２（図３）において表示パネル３５
ｂに表示した画面を通じて、「既存」が選択されると（図５、ステップＳ４１）、選択結
果が「既存」であることを示した情報をサーバー２１へ送信する（ステップＳ４２）。
【００６４】
サーバー２１では、ナビゲーション装置１１から送信されてくる選択結果「既存」を示
した情報を受信すると（ステップＳ４３）、受信した情報に基づいて、選択結果が「新規
」、「既存」のいずれであるのかを判断し（ステップＳ４４）、選択結果が「既存」であ
ると判断すれば、次に、ナビゲーション装置１１へ提供情報入力画面データを送信する（
ステップＳ４５）。
【００６５】
ナビゲーション装置１１では、前記提供情報入力画面データを受信すると（ステップＳ
４６）、受信した前記提供情報入力画面データに基づいて、情報の提供を、情報の「追加
変更」、「閉店」のいずれのかたちで行うのかの選択が可能な画面を表示パネル３５ｂに
表示し（ステップＳ４７）、この画面を通じて、「追加変更」が選択されると（ステップ
Ｓ４８）、選択結果が「追加変更」であることを示した情報をサーバー２１へ送信する（
ステップＳ４９）。「閉店」が選択された場合については、後で説明する。
【００６６】
サーバー２１では、ナビゲーション装置１１から送信されてくる選択結果「追加変更」
を示した情報を受信すると（ステップＳ５０）、受信した情報に基づいて、選択結果が「
追加変更」、「閉店」のいずれであるのかを判断し（ステップＳ５１）、選択結果が「追
加変更」であると判断すれば、次に、ナビゲーション装置１１へ施設特定画面データを送
信する（ステップＳ５２）。
【００６７】
ナビゲーション装置１１では、前記施設特定画面データを受信すると（ステップＳ５３
）、受信した前記施設特定画面データに基づいて、施設の名称、住所、電話番号の入力が
可能な画面を表示パネル３５ｂに表示し（ステップＳ５４）、この画面を通じて、施設を
特定するための情報が入力され、入力された情報の送信指示があると（ステップＳ５５）
、次に、施設を特定するための施設特定情報をサーバー２１へ送信する（ステップＳ５６
）。
【００６８】
サーバー２１では、ナビゲーション装置１１から送信されてくる施設特定情報を受信す
ると（ステップＳ５７）、受信した施設特定情報に基づいて、データベース２４を検索し
（図６、ステップＳ６１）、該当する施設に関する情報を読み出し（ステップＳ６２）、
読み出した前記施設に関する情報をナビゲーション装置１１へ送信する（ステップＳ６３
）。
【００６９】
ナビゲーション装置１１では、前記施設に関する情報を受信すると（ステップＳ６４）
、受信した前記施設に関する情報を表示パネル３５ｂに表示し、情報の追加、及び変更が
可能な状態に設定する（ステップＳ６５）。その後、情報の追加、変更等が行われ、情報
の送信指示があると（ステップＳ６６）、予め登録されている自宅の位置情報を読み出し
（ステップＳ６７）、読み出した自宅の位置情報を付加して、追加、変更後の施設情報を
サーバー２１へ送信する（ステップＳ６８）。
【００７０】
サーバー２１では、ナビゲーション装置１１から送信されてくる、ユーザーの自宅の位
置情報が付加された、施設の情報を受信すると（ステップＳ６９）、施設の位置情報、及
び自宅の位置情報に基づいて、施設と自宅との距離ｓを求め（ステップＳ７０）、距離ｓ
が所定の距離ｓ’以下であるか否かを判断する（ステップＳ７１）。
【００７１】
距離ｓが所定の距離ｓ’以下である（すなわち、情報の追加変更が行われた施設は情報
提供者の自宅から近い）と判断すれば、ナビゲーション装置１１から送信されてきた施設
に関する情報は、地元民から提供された情報（すなわち、信頼度の高い情報）と看做し、
この点を考慮に入れて前記情報をデータベース２４へ格納し（ステップＳ７２）、その後
、ナビゲーション装置１１へ再びトップ画面データを送信する（ステップＳ７３）。
【００７２】
一方、距離ｓが所定の距離ｓ’以下でない（すなわち、情報の追加変更が行われた施設
は情報提供者の自宅から遠い）と判断すれば、ナビゲーション装置１１から送信されてき
た施設に関する情報は、地元民以外から提供された情報（すなわち、信頼度の低い情報）
と看做し、この点を考慮に入れて前記情報をデータベース２４へ格納し（ステップＳ７４
）、その後、ナビゲーション装置１１へ再びトップ画面データを送信する（ステップＳ７
３）。
【００７３】
ナビゲーション装置１１では、前記トップ画面データを受信すると（ステップＳ７５）
、トップ画面を表示パネル３５ｂに表示する。これ以降の処理動作は、図３に示したステ
ップＳ５以降の処理となる。
【００７４】
また、ナビゲーション装置１１では、ステップＳ４７（図５）において表示パネル３５
ｂに表示した画面を通じて、「閉店」が選択されると（図７、ステップＳ８１）、選択結
果が「閉店」であることを示した情報をサーバー２１へ送信する（ステップＳ８２）。
【００７５】
サーバー２１では、ナビゲーション装置１１から送信されてくる選択結果「閉店」を示
した情報を受信すると（ステップＳ８３）、受信した情報に基づいて、選択結果が「追加
変更」、「閉店」のいずれであるのかを判断し（ステップＳ８４）、選択結果が「閉店」
であると判断すれば、次に、ナビゲーション装置１１へ施設特定画面データを送信する（
ステップＳ８５）。
【００７６】
ナビゲーション装置１１では、前記施設特定画面データを受信すると（ステップＳ８６
）、受信した前記施設特定画面データに基づいて、施設の名称、住所、電話番号の入力が
可能な画面を表示パネル３５ｂに表示し（ステップＳ８７）、この画面を通じて、閉店さ
れた施設を特定するための情報が入力され、入力された情報の送信指示があると（ステッ
プＳ８８）、予め登録されている自宅の位置情報を読み出し（ステップＳ８９）、読み出
した自宅の位置情報を付加して、施設を特定するための施設特定情報をサーバー２１へ送
信する（ステップＳ９０）。
【００７７】
サーバー２１では、ナビゲーション装置１１から送信されてくる、ユーザーの自宅の位
置情報が付加された、閉店された施設を特定するための施設特定情報を受信すると（ステ
ップＳ９１）、施設の位置情報、及び自宅の位置情報に基づいて、閉店された施設と自宅
との距離ｓを求め（ステップＳ９２）、距離ｓが所定の距離ｓ’以下であるか否かを判断
する（ステップＳ９３）。
【００７８】
距離ｓが所定の距離ｓ’以下である（すなわち、閉店された施設は情報提供者の自宅か
ら近い）と判断すれば、ナビゲーション装置１１から送信されてきた施設に関する情報（
すなわち、前記施設が閉店したという情報）は、地元民から提供された情報（すなわち、
信頼度の高い情報）と看做し、この点を考慮に入れて前記情報をデータベース２４へ格納
し（ステップＳ９４）、その後、ナビゲーション装置１１へ再びトップ画面データを送信
する（ステップＳ９５）。
【００７９】
一方、距離ｓが所定の距離ｓ’以下でない（すなわち、閉店された施設は情報提供者の
自宅から遠い）と判断すれば、ナビゲーション装置１１から送信されてきた施設に関する
情報（すなわち、前記施設が閉店したという情報）は、地元民以外から提供された情報（
すなわち、信頼度の低い情報）と看做し、この点を考慮に入れて前記情報をデータベース
２４へ格納し（ステップＳ９６）、その後、ナビゲーション装置１１へ再びトップ画面デ
ータを送信する（ステップＳ９５）。
【００８０】
ナビゲーション装置１１では、前記トップ画面データを受信すると（ステップＳ９７）
、トップ画面を表示パネル３５ｂに表示する。これ以降の処理動作は、図３に示したステ
ップＳ５以降の処理となる。
【００８１】
また、ナビゲーション装置１１では、ステップＳ５（図３）において表示パネル３５ｂ
に表示した画面を通じて、「取得」が選択されると（図８、ステップＳ１０１）、選択結
果が「取得」であることを示した情報をサーバー２１へ送信する（ステップＳ１０２）。
【００８２】
サーバー２１では、ナビゲーション装置１１から送信されてくる選択結果「取得」を示
した情報を受信すると（ステップＳ１０３）、受信した情報に基づいて、選択結果が「提
供」、「取得」のいずれであるのかを判断し（ステップＳ１０４）、選択結果が「取得」
であると判断すれば、次に、ナビゲーション装置１１へ画面が階層構造になっている情報
特定画面データを送信する（ステップＳ１０５）。
【００８３】
ナビゲーション装置１１では、前記情報特定画面データを受信すると（ステップＳ１０
６）、受信した前記情報特定画面データに基づいて、取得を希望する情報を特定するため
の画面であり、「最新」、「閉店」、「全部」のいずれかの選択が可能な情報特定画面（
第１の階層）を表示パネル３５ｂに表示する（ステップＳ１０７）。「最新」は、新しく
開店した施設などに関する情報の取得を希望する場合に選択するものであり、「閉店」は
、閉店した施設などに関する情報の取得を希望する場合に選択するものであり、「全部」
は、上記２つに限定しない場合に選択するものである。
【００８４】
この画面を通じて、「閉店」、又は「全部」が選択されると、その選択結果に関する情
報をメモリして、次に、情報の取得を希望する施設を特定するための画面であり、施設の
名称、住所、電話番号、ジャンルの入力が可能な情報特定画面（第２の階層）を表示パネ
ル３５ｂに表示する（ステップＳ１０８）。なお、ここでの入力は大まかなもので良く、
例えば、ジャンルだけが入力されていても良く、また、住所についても都道府県や、市町
村が入力されるだけでも良い。と言うのは、ある程度の範囲が特定できれば十分だからで
ある。なお、「最新」が選択された場合については、後で説明する。
【００８５】
この画面を通じて、施設を特定するための情報が入力され、入力完了の指示があると、
入力された情報をメモリして、次に、取得を希望する情報の出どころを特定するための画
面であり、「サーバーオリジナル」、「ユーザーからの情報」、「ユーザーからの情報（
地元）」、「全部」のいずれかの選択が可能な情報特定画面（第３の階層）を表示パネル
３５ｂに表示する（ステップＳ１０９）。
【００８６】
「サーバーオリジナル」は、ユーザーから提供された情報以外の取得を希望する場合に
選択するものであり、「ユーザーからの情報」は、ユーザーから提供された情報の取得を
希望する場合に選択するものであり、「ユーザーからの情報（地元）」は、ユーザーから
提供された情報のうち、信頼度の高い地元民から提供された情報の取得を希望する場合に
選択するものであり、「全部」は、上記３つに限定しない場合に選択するものである。
【００８７】
この画面を通じて、「サーバーオリジナル」、「ユーザーからの情報」、「ユーザーか
らの情報（地元）」、「全部」のいずれかが選択されると、その選択結果に関する情報を
メモリして、これら画面を通じて、設定された情報の送信指示があると（ステップＳ１１
０）、次に、前記情報をサーバー２１へ送信する（ステップＳ１１１）。
【００８８】
サーバー２１では、ナビゲーション装置１１から送信されてくる前記情報を受信すると
（ステップＳ１１２）、受信した前記情報に基づいて、データベース２４を検索し（図９
、ステップＳ１２１）、該当する施設に関する情報を読み出し（ステップＳ１２２）、読
み出した前記施設に関する情報をナビゲーション装置１１へ送信する（ステップＳ１２３
）。
【００８９】
ナビゲーション装置１１では、前記施設に関する情報を受信すると（ステップＳ１２４
）、受信した前記施設に関する情報を表示パネル３５ｂにリスト表示し（ステップＳ１２
５）、これら情報をＨＤＤ４０に格納させる指示があると、これら情報をＨＤＤ４０に格
納し（ステップＳ１２６）、その後、トップ画面を表示パネル３５ｂに表示する。これ以
降の処理動作は、図３に示したステップＳ５以降の処理となる。
【００９０】
また、ナビゲーション装置１１では、ステップＳ１０７（図８）において表示パネル３
５ｂに表示した画面を通じて、「最新」が選択されると（図１０、ステップＳ１３１）、
選択結果が「最新」であることを示した情報をサーバー２１へ送信する（ステップＳ１３
２）。
【００９１】
サーバー２１では、ナビゲーション装置１１から送信されてくる選択結果「最新」を示
した情報を受信すると（ステップＳ１３３）、受信した前記情報に基づいて、データベー
ス２４を検索し（ステップＳ１３４）、該当する施設（新しく開店した店など）に関する
情報を読み出し（ステップＳ１３５）、読み出した前記施設に関する情報をナビゲーショ
ン装置１１へ送信する（ステップＳ１３６）。
【００９２】
ナビゲーション装置１１では、前記施設に関する情報を受信すると（ステップＳ１３７
）、受信した前記施設に関する情報を表示パネル３５ｂにリスト表示し（ステップＳ１３
８）、これら情報をＨＤＤ４０に格納させる指示があると、これら情報をＨＤＤ４０に格
納し（ステップＳ１３９）、その後、トップ画面を表示パネル３５ｂに表示する。これ以
降の処理動作は、図３に示したステップＳ５以降の処理となる。
【００９３】
上記実施の形態（１）に係る情報端末装置（ナビゲーション装置１１）及び情報管理装
置を含んで構成される情報処理システムによれば、ナビゲーション装置１１で所定の送信
要求が発生すると、施設に関する情報（例えば、ある飲食店の電話番号や営業時間）がサ
ーバー２１へ送信される。これにより、サーバー２１は、ナビゲーション装置１１で設定
された施設に関する情報を取得することができる。すなわち、サーバー２１は、ユーザー
から施設に関して実際の状況の変化に応じた情報の提供を受けることができるので、施設
に関する情報の更新を速やかに行うことが可能となる。
【００９４】
また、前記施設に関する情報は、情報提供者であるユーザーの活動拠点となる場所（こ
こでは、自宅）の位置情報が付加されてサーバー２１へ送信されるので、サーバー２１は
、例えば、前記施設の所在地と、ユーザーの活動拠点となる場所との位置的関係性から、
その情報が地元民からのもの（すなわち、信頼度の高いもの）であるか否かを判断するこ
とができる。従って、サーバー２１は、ユーザーから送信されてくる情報の信頼度に基づ
いて、情報の更新を行うことができる。
【００９５】
なお、上記実施の形態（１）では、ユーザーの活動拠点となる場所が自宅である場合に
ついて説明しているが、活動拠点となる場所は自宅に限定されるものでなく、別の実施の
形態では、例えば、学校や勤務先（会社など）などであっても良い。また、上記実施の形
態（１）では、活動拠点となる場所（ここでは自宅）の位置情報が必要な場合、前記位置
情報を毎回、施設に関する情報に付加してサーバーへ送信するようにしているが、別の実
施の形態では、前記場所の位置情報を予めＩＤコードなどと対応づけてサーバーへ登録し
ておくようにし、施設に関する情報には前記場所の位置情報ではなく、ＩＤコードなどを
付加するようにしても良い。
【００９６】
また、上記実施の形態（１）では、施設の所在地と、ユーザーの活動拠点となる場所と
の位置的関係性から、前記施設に関する情報の提供者が地元民であるか否かを判断するこ
とによって、前記情報の信頼度を設定しているが、別の実施の形態では、前記施設の所在
地と、ユーザーの現在位置との位置的関係性から、前記情報がユーザーが現場で確認した
ものであるか否かを判断することによって、前記情報の信頼度を設定するようにしても良
い。
【００９７】
また、上記実施の形態（１）では、ユーザーから提供される施設に関する情報の信頼度
を、前記施設とユーザーの活動拠点となる場所との位置的関係性から設定するようにして
いるが、別の実施の形態では、これだけではなく、ユーザーからの情報の提供される回数
を考慮に入れて、前記信頼度を設定するようにしても良い。
【００９８】
例えば、地元民以外からの情報であっても、提供される回数が所定の回数以上ある場合
には信頼度を高く設定しても良い。また、同じ情報に対して、地元民から提供された場合
には２点とし、地元民以外から提供された場合には１点とし、点数が２０点以上の場合、
信頼度Ａの情報とし、点数が１０点〜１９点の場合、信頼度Ｂの情報とし、点数が１点〜
９点の場合、信頼度Ｃの情報としても良い。また、情報端末装置側が情報を取得する場合
にも、信頼度のレベルを細かく設定して情報の送信を要求することができるようにしても
良い。また、これら信頼度に関する情報をそのまま情報端末装置側へ送信するようにして
、ユーザー自身に情報の信頼性を判断させるようにしても良い。
【図面の簡単な説明】
【００９９】
【図１】本実施の形態（１）に係る情報端末装置及び情報管理装置を含んで構成される情報処理システムの要部を概略的に示したブロック図である
【図２】実施の形態（１）に係る情報端末装置（ナビゲーション装置）の要部を概略的に示したブロック図である。
【図３】実施の形態（１）に係る情報処理システムを構成するナビゲーション装置の制御部とサーバーの制御部とにおける処理動作を示したフローチャートである。
【図４】実施の形態（１）に係る情報処理システムを構成するナビゲーション装置の制御部とサーバーの制御部とにおける処理動作を示したフローチャートである。
【図５】実施の形態（１）に係る情報処理システムを構成するナビゲーション装置の制御部とサーバーの制御部とにおける処理動作を示したフローチャートである。
【図６】実施の形態（１）に係る情報処理システムを構成するナビゲーション装置の制御部とサーバーの制御部とにおける処理動作を示したフローチャートである。
【図７】実施の形態（１）に係る情報処理システムを構成するナビゲーション装置の制御部とサーバーの制御部とにおける処理動作を示したフローチャートである。
【図８】実施の形態（１）に係る情報処理システムを構成するナビゲーション装置の制御部とサーバーの制御部とにおける処理動作を示したフローチャートである。
【図９】実施の形態（１）に係る情報処理システムを構成するナビゲーション装置の制御部とサーバーの制御部とにおける処理動作を示したフローチャートである。
【図１０】実施の形態（１）に係る情報処理システムを構成するナビゲーション装置の制御部とサーバーの制御部とにおける処理動作を示したフローチャートである。
【図１１】従来のナビゲーション装置の要部を概略的に示したブロック図である。
【符号の説明】
【０１００】
１１  ナビゲーション装置
２１  サーバー
２２  情報管理装置
２３、３１  制御部
２４  データベース
４０  ＨＤＤ
【図１】
2005291712.tif 000003
【図２】
2005291712.tif 000004
【図３】
2005291712.tif 000005
【図４】
2005291712.tif 000006
【図５】
2005291712.tif 000007
【図６】
2005291712.tif 000008
【図７】
2005291712.tif 000009
【図８】
2005291712.tif 000010
【図９】
2005291712.tif 000011
【図１０】
2005291712.tif 000012
【図１１】
2005291712.tif 000013